(57)【要約】【課題】良好な操作性を確保しつつ前面扉に対する取付強度の向上を図ったスイッチ部を備える遊技機を提供すること。【解決手段】遊技機１は、マックスベットボタン４１を前面扉３の平面部分Ｆに開口形成された開口部から収容し、フランジ部４３ｂの係止面４３ｄとケーシング受け部５１の水平面５１ｂとの係止に加えて、ケーシング４３の係止段差面４３ｈとケーシング受け部５１の下方位置に設けられた係止段差受け面５３との係止によってマックスベットボタン４１を前面扉３の平面部分Ｆに取り付け固定している。【選択図】図５
2007000360.tif 000002
【特許請求の範囲】
【請求項１】
一方が開口されたケーシングと、該ケーシング内に設けられ付勢力に抗して押圧動作可能な可動部と、前記ケーシングの開口端部から外方へ突出した第１係止部と、を有するスイッチ部と、
遊技機前面扉に開口形成されて前記スイッチ部を収容する開口部の開口縁部に設けられた第１係止受け部と、備え、
前記スイッチ部の第１係止部が前記第１係止受け部に係止されて前記スイッチ部を前記遊技機前面扉に設けた遊技機において、
前記スイッチ部のケーシングには、前記第１係止部より前記可動部の押圧動作方向側に第２係止部が設けられ、
前記遊技機前面扉の開口部より内方側には、前記ケーシングの第２係止部の位置に対応して第２係止受け部が設けられ、
前記スイッチ部の可動部が所定の押圧力を超える押圧力をもって押圧操作されたときに、前記スイッチ部の第１係止部と前記第１係止受け部との係止に加えて、前記第２係止部と前記第２係止受け部との係止を行うことができるようにしたことを特徴とする遊技機。
【請求項２】
前記第２係止部は、前記ケーシングの第１係止部より前記可動部の押圧動作方向側において前記ケーシングを少なくとも１回縮径して前記ケーシングの外周面側に係止段差面を形成することによって設けられ、
前記第２係止受け部は、前記ケーシングの係止段差面が当接可能となるように係止段差受け面を形成することによって設けられ、
前記第２係止部と前記第２係止受け部の係止は、前記係止段差面と前記係止段差受け面の当接によって行われるようにしたことを特徴とする請求項１に記載の遊技機。
【請求項３】
前記遊技機前面扉には、前記スイッチ部のケーシングの外形に対応して前記遊技機前面扉の開口部の開口縁部から連続して内方側に向かって延在する延在部が設けられ、
前記係止段差受け面は、前記延在部の内面側に設けられるようにしたことを特徴とする請求項２に記載の遊技機。
【請求項４】
前記ケーシングの外周面側には、前記第２係止部より前記可動部の押圧動作方向側において前記可動部の中立位置に向かう方向に移行するに従って前記ケーシングから漸次離反するように突出した係止爪部が設けられ、
前記係止爪部の先端部は、前記スイッチ部の収容後に前記延在部の先端部に当接可能にしたことを特徴とする請求項３に記載の遊技機。
【請求項５】
前記ケーシングの内周面側には、前記ケーシングの縮径によって前記係止段差面の位置に対応して相互に接近する方向に延在する可動部受け面が設けられ、
前記可動部は、中立位置からの押圧動作により前記可動部が前記ケーシングの可動部受け面に当接することによって移動規制されるようにしたことを特徴とする請求項２〜４のいずれか１項に記載の遊技機。
【請求項６】
前記第１係止受け部は、
前記第１係止部が前記遊技機前面扉の表面から突出しない程度に前記遊技機前面扉を凹設して段差面によって形成され、前記段差面に前記第１係止部を係止させたことを特徴とする請求項１〜５のいずれか１項に記載の遊技機。
【発明の詳細な説明】
【技術分野】
【０００１】
本発明は、スロットマシン等に代表される遊技機に関する。
【背景技術】
【０００２】
この種の遊技機は、遊技媒体であるコイン（メダル）を使用して遊技を楽しむように構成されており、通常１回の遊技で予め設定された枚数までのコインをベットして遊技機を開始し、所定の入賞役に入賞すると所定枚数のコインが払い出されるように構成されている。遊技機は、通常１回の遊技で３枚までのコインをベットできるように設定されており、遊技機の前面扉の所定位置に、１枚、２枚及び３枚のコインをベットするベットボタンがそれぞれ設けられている。
【０００３】
図１０は、従来の遊技機に設けられているマックスベットボタン１０１の構成を説明する図である。マックスベットボタン１０１は、遊技機に設定されている最大ベット枚数分のコインをベットできるように構成されており、例えば遊技開始時にコインがベットされていない場合、３枚のコインをベットすることができるように構成されている。
【０００４】
マックスベットボタン１０１は、前面扉１１１の所定位置に開口形成された開口部（図示せず）から収容されることによって前面扉１１１に取り付け固定されており、一方の側に開口部１０３ａを有するケーシング１０３と、ケーシング１０３内に装填され、遮蔽板１０５ａとコイルバネ１０７の付勢力に抗してケーシング１０３内を摺接可能な摺接部１０５ｂと摺接部１０５ｂの先端側に設けられた押下カバー体１０５ｃとを有する可動部１０５と、可動部１０５を中立位置に戻す付勢力を及ぼすコイルバネ１０７と、一対の投光部１０９ａと受光部（図示せず）を有し、可動部１０５の遮蔽板１０５ａが摺接部１０５ｂの摺接過程で投光部１０９ａと受光部との間を遮蔽することにより所定の信号を出力するフォトインタラプタ１０９とを備えている。
【０００５】
また、ケーシング１０３の開口部１０３ａの開口端部には、マックスベットボタン１０１が前面扉１１１の開口部に収容されたときに開口部の開口縁部に設けられたケーシング受け部１１３に係止するフランジ部１０３ｂが外方に向かって突設されている。そしてまた、ケーシング１０３のフランジ部１０３ｂより下方位置には、ケーシング１０３を前面扉１１１の開口部に収容する過程でケーシング１０３に接近する方向に弾性変形し、ケーシング１０３の収容後にケーシング１０３から離反する方向に復元する一対の係止爪部１０３ｃが設けられている。
【０００６】
上記構成を有するマックスベットボタン１０１によれば、マックスベットボタン１０１を押下操作して遊技を開始するような場合、可動部１０５の押下カバー体１０５ｃを押下操作すると、可動部１０５の摺接部１０５ｂがケーシング１０３の内周面側をコイルバネ１０７の付勢力に抗して摺接して下方に移動し、可動部１０５の遮蔽板１０５ａがフォトカプラ１０９の投光部１０９ａと受光部の間を遮蔽する。これにより、フォトカプラ１０９から所定の信号が出力され、マックスベットボタン１０１の操作が検知される。このとき、ケーシング受け部１１３にケーシング１０３のフランジ部１０３ｂを係止させているので、可動部１０５に及ぼされた力を受けてマックスベットボタン１０１の前面扉１１１内部への抜け落ちを防ぐことができる。
【０００７】
また、マックスベットボタン１０１を収容すると、一対の係止爪部１０３ｃがケーシング１０３から離反する方向に復元することから、マックスベットボタン１０１を取り外そうとすると、係止爪部１０３ｃの上端部が前面扉１１１の裏面側に当接することから、マックスベットボタン１０１を容易に取り外すことができない。
【０００８】
そしてまた、マックスベットボタン１０１は、一対の係止爪部１０３ｃを弾性変形させた状態で前面扉１１１開口部に収容するだけで良いことから、組付けを容易に行うことができる。
【０００９】
ところが、マックスベットボタン１０１は、種々の操作形態及び押圧力をもって操作されるのが一般的である。例えば、マックスベットボタン１０１は、ライター等の所定の硬さを有する異物によって可動部１０５の押下カバー体１０５ｃ等が強打されて押下操作されたり、又は想定外の極めて大きな押圧力をもって押下操作され、しかもかかる押下操作が連続して行われるような場合がある。
【００１０】
このような押下操作によるマックスベットボタン１０１の押下操作が連続すると、前面扉１１１のケーシング受け部１１３とケーシング１０３のフランジ部１０３ｂとの係止によって力を受けているだけであるので、フランジ部１０３ｂが破損したり、またフランジ部１０３ｂがケーシング１０３から剥離すること等が考えられ、また実際にそのような状況が発生していた。
【００１１】
また、ケーシング１０３のフランジ部１０３ｂが破損等することにより、前面扉１１１の開口部とマックスベットボタン１０１のケーシング１０３との間に隙間が生じ、かかる隙間から棒体等の異物を挿入して遊技機内部の所定のスイッチ類を操作する不正行為が行われることも考えられる。そこで、従来よりマックスベットボタン１０１の取付構造の強化を図った遊技機が開発されている。
【００１２】
例えば、特開平０９−２０６４２３号では、押しボタンに可動部が嵌合し、このように押しボタンと可動部が嵌合した状態でスイッチボックスに収容された押しボタン操作スイッチを有する遊技機が提案されている。スイッチボックスの基部は、円筒状に形成され、円筒状の基部の外周側にはネジ溝が設けられている。そして、遊技機の機器表面に開口形成されたスイッチボックス取付孔にスイッチボックスの円筒状の基部を挿入し、機器の裏面側からナットを螺合することによって、押しボタン操作スイッチを遊技機の機器表面に取り付けて押しボタン操作スイッチの取付強度の向上を図っている（例えば、特許文献１を参照）。
【００１３】
【特許文献１】特開平０９−２０６４２３号
【発明の開示】
【発明が解決しようとする課題】
【００１４】
しかしながら、特許文献１に開示されている遊技機の場合、嵌合状態の可動部と押しボタンを収容したスイッチボックスは、スイッチボックス取付孔に挿入され、スイッチボックスを遊技機の機器表面で受けているだけである。これにより、押しボタン操作スイッチが押下操作されると、嵌合状態の押しボタンと可動部が押下方向に移動してスイッチボックスに当接することから、上述のような操作形態又は押下操作力をもって押下操作が連続した場合にスイッチボックスが破損等する懸念が依然として残っている。
【００１５】
また、スイッチボックス取付孔にスイッチボックスの基部を挿入し、機器の裏面側から基部のネジ溝にナットを螺合することから、スイッチボックスの組付けが煩雑であるという課題を有していた。
【００１６】
これに対して、図１０のマックスベットボタン１０１は、フランジ部１０３ｂを前面扉１１１から突出する方向に大きな厚みをもって形成し、特許文献１の押しボタン操作スイッチも同様に、スイッチボックスを遊技機の機器表面から突出する方向に大きな厚みをもって形成することによって、強度を確保することが考えられる。しかし、かかる大きな厚みを有することにより、マックスベットボタン１０１及び押しボタン操作スイッチの操作性が低下すると共に、フランジ部１０３ｂ及びスイッチボックスが大きく突出することから、遊技機のデザイン上望ましくない。
【００１７】
本発明は、これら種々の問題を鑑み、従来技術の課題を解決すべくなされたものであり、可動部の良好な操作性を確保しつつ遊技機前面扉に対する取付強度の向上を図ったスイッチ部を備える遊技機を提供することにある。
【課題を解決するための手段】
【００１８】
上記課題を解決する請求項１に記載した遊技機の発明は、
一方が開口されたケーシングと、該ケーシング内に設けられ付勢力に抗して押圧動作可能な可動部と、ケーシングの開口端部から外方へ突出した第１係止部とを有するスイッチ部と、遊技機前面扉に開口形成されてスイッチ部を収容する開口部の開口縁部に設けられた第１係止受け部と備え、スイッチ部の第１係止部が第１係止受け部に係止されてスイッチ部を遊技機前面扉に設けた遊技機において、スイッチ部のケーシングには、第１係止部より可動部の押圧動作方向側に第２係止部が設けられ、遊技機前面扉の開口部より内方側には、ケーシングの第２係止部の位置に対応して第２係止受け部が設けられ、スイッチ部の可動部が所定の押圧力を超える押圧力をもって押圧操作されたときに、スイッチ部の第１係止部と第１係止受け部との係止に加えて、第２係止部と第２係止受け部との係止を行うことができるようにしたことを特徴とする。
【００１９】
請求項１に記載の発明によれば、スイッチ部は、ケーシングの第１係止部と遊技機前面扉の開口部の開口縁部に設けられた第１係止受け部との係止に加えて、第２係止部と第２係止受け部との係止によって遊技機前面扉の開口部に設けるようにしたことにより、スイッチ部の可動部の押下操作によって及ぼされた力を複数の係止構造によって受けることができるので、スイッチ部に及ぼされた力を分散することができる。これにより、所定の押圧力を超える押圧力をもってスイッチ部の可動部の押圧操作が連続して行われても、スイッチ部の第１係止部の破損等を防ぐことができる。
【００２０】
ここで、スイッチ部の可動部に対する所定の押圧力とは、遊技を行う際にスイッチ部に対する一般的な操作形態により及ぼされる通常の押圧力を意味するものである。本発明において、かかる押圧力を超えるとは、例えばスイッチ部の可動部を所定の強度の異物によって強打したり、又は異物を用いなくても、掌等でスイッチ部の可動部を強打することにより、上述の通常の押圧力を超える押圧力が及ぼされることを意味する。本発明では、かかる押圧力をもってスイッチ部の可動部が押圧操作されたときには、第１係止部と第１係止受け部との係止及び第２係止部及び第２係止受け部との係止による複数の係止構造をもって押圧力を受けることができるようにして、従来の課題を解決するものである。よって、通常の押圧力が及ぼされるようなときには、第１係止部と第１係止受け部との係止か、又は第２係止部及び第２係止受け部との係止によって押圧力を受けるようにしても良いし、或いはこれらの複数の係止構造によって押圧力を受けても良い。
【００２１】
そして、スイッチ部の第１係止部が破損等して、スイッチ部のケーシングと第１係止受け部との間に隙間が生じた場合であっても、第２係止部と第２係止受け部との係止は、遊技機前面扉の第１係止受け部より内方側で行われていることから、第２係止部と第２係止受け部との係止構造が障害となって棒体等の異物の進入をさせないようにすることができる。これにより、棒体等の異物を遊技機の内部に到達させるのが極めて困難であることから、遊技内部のスイッチ類を操作する不正行為を防ぐことができる。
【００２２】
そしてまた、第２係止部は、ケーシングの第１係止部より可動部の押下動作方向側に設けられているので、スイッチ部を第１係止受け部へ収容したときに、遊技機前面扉から外方側に露出しないようにすることができる。これにより、第２係止部及び第２係止受け部は、スイッチ部に及ぼされた力を受けて分散させるのに必要で且つ十分な形状をもって形成することができるので、設計の自由度を高めることができる。
【００２３】
それから、第２係止部と第２係止受け部の係止によって、スイッチ部に及ぼされた力を受けて分散させることができれば、第１係止受け部の開口縁部に係止する第１係止部を遊技機前面扉から大きく突出するように厚みをもって形成する必要がない。これにより、スイッチ部の可動部だけを突出するように構成できるので、スイッチ部の良好な操作性を確保することができる。
【００２４】
請求項２に記載の発明は、請求項１に記載した遊技機において、
第２係止部は、ケーシングの第１係止部より可動部の押圧動作方向側においてケーシングを少なくとも１回縮径してケーシングの外周面側に係止段差面を形成することによって設けられ、第２係止受け部は、ケーシングの係止段差面が当接可能となるように係止段差受け面を形成することによって設けられ、第２係止部と第２係止受け部の係止は、係止段差面と係止段差受け面の当接によって行われるようにしたことを特徴とする。
【００２５】
請求項２に記載の発明は、第２係止部と第２係止受け部の構成を具体的に限定したものであり、これによれば、第２係止部は、ケーシングの第１係止部より可動部の押圧動作方向側においてケーシングの外周面側を少なくとも１回縮径して係止段差面によって形成し、第２係止受け部は、係止段差受け面によって形成されるので、第２係止部及び第２係止受け部の構成を簡易なものとすることができる。
【００２６】
ここで、本発明の係止段差受け面を、ケーシングの係止段差面と当接可能に設けるようにしたのは、スイッチ部の可動部を一般的な操作形態で通常の押圧力をもって押下操作する場合、本発明の第１係止部と第１係止受け部との係止構造によって十分に押圧力を受けて分散することができる。よって、このような押圧力をもってスイッチ部の可動部が押圧操作されるような場合、第２係止部と第２係止受け部は係止しないような構成としたものである。
【００２７】
そして、従来課題となっていた押圧力をもってスイッチ部の可動部が操作される場合、スイッチ部を装填するケーシングについても押圧力の衝撃で押圧方向に若干移動することから、そのときには係止段差面が係止段差受け面に係止するように構成したものである。これにより、少なくとも従来課題となっていた押圧力をもってスイッチ部の可動部が操作されるときには、第１係止部と第１係止受け部との係止に加えて、係止段差面と係止段差受け面との係止による複数の係止構造によって押圧力を受けることができる。
【００２８】
なお、係止段差受け面をケーシングの係止段差面に当接可能とは、ケーシングの係止段差面が係止段差受け面に常に係止した状態であることを除外する意味合いで用いたものではない。
【００２９】
それから、本発明では、ケーシングの外周面側を少なく１回縮径することによって係止段差面を形成しているが、ケーシングの外周面側の縮径は２回以上行うようにするのが好ましい。これにより、ケーシングの外周面側には、可動部の押圧動作方向に沿って複数個の係止段差面が形成され、遊技機前面扉の開口部より内方側において係止段差受け面との係止構造を複数設けることができるので、請求項１の作用効果を更に顕著なものとすることができる。
【００３０】
請求項３に記載の発明は、請求項２に記載の遊技機において、
遊技機前面扉には、スイッチ部のケーシングの外形に対応して遊技機前面扉の開口部の開口縁部から連続して内方側に向かって延在する延在部が設けられ、係止段差受け面は、延在部の内面側に設けられるようにしたことを特徴とする。
【００３１】
請求項３に記載の発明は、係止段差受け面の構成を具体的に限定したものであり、これによれば、係止段差受け面が設けられる延在部を遊技機前面扉から連続して内方側に延在するようにしたことによって、延在部を遊技機前面扉に一体に設けることができる。これにより、係止段差受け面を遊技機前面扉の開口部の内方側で別個に固定支持する必要がないので、部品点数を削減することができる。
【００３２】
請求項４に記載の発明は、請求項３に記載した遊技機において、
ケーシングの外周面側には、第２係止部より可動部の押圧動作方向側において可動部の中立位置に向かう方向に移行するに従ってケーシングから漸次離反するように突出した係止爪部が設けられ、係止爪部の先端部は、スイッチ部の収容後に延在部の先端部に当接可能にしたことを特徴とする。
【００３３】
請求項４に記載の発明は、スイッチ部の構成を具体的に限定したものであり、これによれば、スイッチ部のケーシングの外周面側に設けられた係止爪部は、スイッチ部を遊技機前面扉に収容した後に係止爪部の先端部が延在部の先端部に当接することから、第１係止部及び第１係止受け部と第２係止部及び第２係止受け部との複数の係止構造に基づく取付強度を確保しつつ、スイッチ部を取り付けた後は遊技機前面扉からスイッチ部を容易に取り外しできないようにすることができる。
【００３４】
また、第１係止部の破損等によりスイッチ部を交換するようなときには、係止爪部をケーシングに接近する方向に弾性変形させた状態でスイッチ部を遊技機前面扉から取り外すだけでよいので、作業工程を複雑にすることなくメンテナンスを行うことができる。一方、スイッチ部を遊技機前面扉に収容するときには、係止爪部をケーシングに接近する方向に弾性変形させた状態でスイッチ部を遊技機前面扉の開口部に挿入するだけで良いので、スイッチ部の組付けを容易に行うことができる。
【００３５】
請求項５に記載の発明は、請求項２〜４に記載した遊技機において、
ケーシングの内周面側には、ケーシングの第２係止部の位置に対応して相互に接近する方向に延在する可動部受け面が設けられ、可動部は、中立位置からの押圧動作により可動部がケーシングの可動部受け面に当接することによって移動規制されるようにしたことを特徴とする。
【００３６】
請求項５に記載の発明は、スイッチ部の構成を具体的に限定したものであり、これによれば、可動部受け面は、ケーシングの外周面側の係止段差面の位置に対応して設けられたので、可動部の押圧方向側への移動によって可動部受け面に及ぼされた力を係止段差面と係止段差受け面との係止構造によって受けて、力を分散させることができる。これにより、可動部の構成部材の破損等も防止することができる。また、付勢力に抗して押圧操作された可動部をケーシングの可動部受け面での当接によって移動規制したことにより、ケーシング内での可動部のストロークを少なくすることができる。これにより、従来課題となっていた押圧力をもって押圧操作された場合、可動部受け面、係止段差面及び係止段差受け面に作用する押圧力を小さくすることができる。
【００３７】
請求項６に記載の発明は、請求項１〜５に記載した遊技機において、
第１係止受け部は、第１係止部が遊技機前面扉の表面から突出しない程度に遊技機前面扉を凹設して段差面によって形成され、段差面に第１係止部を係止させたことを特徴とする。
【００３８】
請求項６に記載の発明によれば、段差面として形成した第１係止受け部に第１係止部を係止させると、第１係止部は遊技機前面扉の表面から突出しないことから、第１係止部と第１係止受け部との係止は、遊技機前面扉から外方に突出させずに行われる。これにより、スイッチ部の係止構造を確保しつつスイッチ部の可動部に対する良好な操作性を確保することができる。
【発明の効果】
【００３９】
本発明にかかる遊技機によれば、前面扉に開口形成された開口部の開口縁部に設けられた第１係止受け部にケーシングの第１係止部を係止させる他に、第２係止部を第２係止受け部に対して係止させたので、スイッチ部に複数の支持構造を設けることができる。これにより、スイッチ部に及ぼされた押圧力を分散して受けることができるので、スイッチ部の取付強度を得ることができる。
【発明を実施するための最良の形態】
【００４０】
以下、本発明の実施の形態について遊技機の一例としてスロットマシンの場合を例に図面に基づいて説明する。図１は、スロットマシン１の前面扉３が閉じた状態を示す斜視図、図２は、スロットマシン１の前面扉３を開いた状態を示した斜視図である。スロットマシン１は、図１に示すように、筐体２と前面扉３とからなる正面視略矩形状の本体４を有している。
【００４１】
筐体２は、スロットマシン１の骨格をなす部材であり、図２に示すように、前面側が開放部分とされた箱形状を有している。筐体２の内部には、各種の図柄等が表示される複数個の回転ドラム１１と、スロットマシン１の遊技動作を制御するメイン制御基板６０（図９を参照）等を収容した制御基板収容ボックス１２と、電源スイッチ１３ａ、リセットスイッチ１３ｂなどを備える電源ボックス１３と、遊技価値媒体であるコインを貯留する補助タンク１４ａ、及び補助タンク１４ａ内のコインを排出用通路７からコイン払出口８に払い出す支払装置１４ｂを備えたホッパ１４等が収容されている。
【００４２】
前面扉３は、図２に示すように、左側辺部の上下２カ所がヒンジ５によって筐体２に連結されて取り付けられており、筐体２の前面開放部分を容易に閉塞及び開放できるように構成されている。
【００４３】
前面扉３は、図１に示すように、上方から下方に向かって順番に表示部３Ａ、操作部３Ｂ、貯留部３Ｃの３つの部分を備えている。表示部３Ａは、前面扉３の上辺に沿って設けられ遊技の進行に伴って点灯・点滅する上部ランプ２１と、上部ランプ２１の下方位置で左右両側に各々配置されて種々の効果音等を発生させる一対のスピーカ２２と、これら一対のスピーカ２２の間に配設されて画像・映像などの種々の情報を表示する液晶ディスプレイ２３を有している。また、表示部３Ａの略中央高さ位置には、筐体２内で回転する複数個の回転ドラム１１をそれぞれ視認するための透明窓２４が設けられており、透明窓２４の左側にはコインＭのベット数（賭け数）に応じて点灯するベットランプ２５が配設されている。そして、表示部３Ａの下部には、左側から右側に向かって順番にクレジット枚数表示部２６、ゲーム数表示部２７、払出枚数表示部２８が設けられている。
【００４４】
操作部３Ｂは、表示部３Ａの下端で折曲されて手前側に向かって延在する平面部分Ｆと、その平面部分Ｆの手前側の端部で折曲されて下方に向かって垂下する縦壁部分Ｈを有しており、平面部分Ｆには、左側位置に１枚用と２枚用のベットボタン３１、３２が設けられ、平面部分Ｆの右側位置には、コイン投入口３３が配設されている。そして、１枚用と２枚用のベットボタン３１、３２の右側近傍位置には、スロットマシン１に設定されている最大ベット枚数分を投入可能なマックスベットボタン４１が設けられている。
【００４５】
縦壁部分Ｈの上部には左側から右側に向かって順番に、コインＭを貯留するか否かを選択するためのクレジット投入ボタン３４、回転ドラム１１の回転開始を指示するためのスタートレバー３５、回転ドラム１１の回転停止を指示するためのストップボタン３６が設けられている。スタートレバー３５は、縦壁部分Ｈから手前側に向かって突設されており、下方に押し下げる、或いは上方に押し上げることによって操作される。ストップボタン３６は、各回転ドラム１１に対応する位置にそれぞれ配設されており、押し動作によって操作される。また、操作部３Ｂの下部には、機種名や遊技に関わるキャラクタ等が表示された表示プレート３７等が設けられている。
【００４６】
貯留部３Ｃは、操作部３Ｂの下方位置で左右方向に亘って延在するように配置形成されており、コイン払出口８から払い出されたコインＭを受けて貯留するコイン受け皿１６や灰皿１７等が設けられている。
【００４７】
次に、マックスベットボタン４１の取付構造について図３〜図８を参照しつつ説明する。図３は、マックスベットボタン４１の分解図、図４は、マックスベットボタン４１のフランジ部４３ｂ及び係止段差面４３ｈの構成を説明する図、図５は、マックスベットボタン４１の縦断面図、図６は、図５におけるＡ−Ａ線の縦断面図、図７は、ケーシング受け部５１及び係止段差受け面５３の構成を説明する図、図８は、マックスベットボタン４１を前面扉から取り外した状態の前面扉３の平面部分Ｆの斜視図である。
【００４８】
マックスベットボタン４１は、遊技の開始に先立って押下操作されることにより最大枚数分のコインのベットをメイン制御基板６０のＭＰＵ６１に認識させるためのものであり、前面扉３の平面部分Ｆに開口形成されたケーシング受け部５１に収容されて取り付けられている。マックスベットボタン４１は一方の側に開口部４３ａを有するケーシング４３と、ケーシング４３に装填されて設けられ、コイルバネ４７の付勢力に抗してケーシング４３内を押下動作可能な可動部４５と、可動部４５を中立位置に戻す付勢力を作用させるコイルバネ４７と、可動部４５の押下動作を検知する検知手段４９とを備えている。
【００４９】
ケーシング４３は、所定の開口径をもって略水平に延在する開口部４３ａと、ケーシング４３の開口部４３ａの開口端部から外方へ突出したフランジ部４３ｂと、開口部４３ａの延在方向に対して交差する方向に延在する筒部４３ｃとによって構成されている。
【００５０】
ケーシング４３の開口部４３ａは、可動部４５、コイルバネ４７、検知手段４９を上方からケーシング４３の内部に収容して装填することができる程度の大きさをもって開口しており、例えば、本実施の形態において略矩形状を有している。また、ケーシング４３の開口部４３ａは、マックスベットボタン４１を取り付けたときにケーシング４３とケーシング受け部５１との間に隙間を生じさせない程度の大きさもって開口している。これにより、棒体等の異物を挿入して、スロットマシン１の本体４の内部に設けられたスイッチ類を操作する不正行為を困難なものとすることができる。
【００５１】
ケーシング４３のフランジ部４３ｂは、開口部４３ａの外周全体に亘って設けられ、ケーシング受け部５１の水平面５１ａとの係止面４３ｄを有している。そして、フランジ部４３ｂは、フランジ部４３ｂの係止面４３ｄがケーシング受け部５１に係止することによってマックスベットボタン４１を前面扉３の平面部分Ｆに取り付けることができるように構成され、本発明の第１係止部を形成している。
【００５２】
ケーシング４３の筒部４３ｃは、ケーシング４３の開口部４３ａの各辺部から垂下された一対の第１ケーシング壁部４３ｅと、第１ケーシング壁部４３ｅの互いに対向する各々の辺部を連結する一対の第２ケーシング壁部４３ｆと、これらの第１ケーシング壁部４３ｅ及び第２ケーシング壁部４３ｆの下端部をそれぞれ連結する底板部４３ｇとを有している。よって、ケーシング４３は、第１ケーシング壁部４３ｅ及び第２ケーシング壁部４３ｆと底板部４３ｇに囲まれることよって略直方体に形成され、内部を中空とするように空間部を有するように構成されている。
【００５３】
筒部４３ｃの各々の第１ケーシング壁部４３ｅ及び第２ケーシング壁部４３ｆの外周面側には、フランジ部４３ｂより下方位置に係止段差面４３ｈが設けられている。係止段差面４３ｈは、ケーシング４３の第１ケーシング壁部４３ｅ及び第２ケーシング壁部４３ｆを縮径することによって設けられ、本発明の第２係止部を構成している。
【００５４】
具体的に説明すると、係止段差面４３ｈは、筒部４３ｃの各々の第１ケーシング壁部４３ｅ及び第２ケーシング壁部４３ｆがケーシング４３の開口部４３ａの各辺部から下方に向かって所定の距離だけ延出し、所定の距離に到達してから垂直に曲折されて互いに接近する方向に所定の距離だけ延出し、所定の距離に到達してから再び垂直に曲折されて下方に向かって延出することによって形成されている。
【００５５】
これにより、ケーシング４３の係止段差面４３ｈより下方部分は、ケーシング４３の収容時に前面扉３内部の、例えば後述の係止段差面受け部５３等に接触しないことから、マックスベットボタン４１の収納を容易に行え、マックスベットボタン４１を前面扉３のケーシング受け部５１に簡易に組み付けることができる。
【００５６】
また、ケーシング４３の外周面側を縮径するだけであることから、係止段差面４３ｈをケーシング４３に容易に加工することができる。それから、本発明の第２係止部を係止段差面４３ｈによって構成しているので、本発明の第２係止部を簡易な構成とすることができる。
【００５７】
そして、係止段差面４３ｈの位置に対応して、第１ケーシング壁部４３ｅ及び第２ケーシング壁部４３ｆの内周面側には可動部受け面４３ｊが設けられている。具体的には、ケーシング４３の内周面側において、係止段差面４３ｈが設けられた位置で互いに接近する方向に延在することによって設けられている。
【００５８】
また、第１ケーシング壁部４３ｅの係止段差面４３ｈの下方位置には、マックスベットボタン４１を収容したときの位置決めをするための逆Ｔ字状の突起部４３ｉが設けられている。そして、第１ケーシング壁部４３ｅ及び第２ケーシング壁部４３ｆは、更に下方に向かって延出してケーシング４３の底板部４３ｇまで到達するように構成されている。
【００５９】
筒部４３の外周面側の下方位置には、上方に向かって移行するに従って筒部４３ｃから漸次離反するように一対の係止爪部４３ｋが突設されている。一対の係止爪部４３ｋは、筒部４３ｃに接近する方向に弾性変形するように構成されている。
【００６０】
可動部４５は、所定の中立位置から押下動作によってコイルバネ４７の付勢力に抗してケーシング４３の内部を下方に向かって移動し、押下操作状態が解除されるとコイルバネ４７の付勢力によって所定の中立位置に戻るように構成されており、ケーシング４３の筒部４３ｃの内周面を摺接可能な摺接部４５ａと、摺接部４５ａの一方の側に設けられた押下カバー体４５ｂを有している。
【００６１】
可動部４５の摺接部４５ａは、ケーシング４３の内周面側において可動部受け面４３ｊより下方側を摺接可能な程度の大きさを有し、両端側が開放された筒体によって構成されている。摺接部４５ａの外周側には、可動部受け面４３ｊより上方側のケーシング４３の内周面を摺接するように摺接突起部４５ｃが設けられている。また、摺接部４５ａは、摺接突起部４５ｃが直接ケーシング４３の可動部受け面４３ｊに当接しないように所定の弾性を有するパッキン４６を間に介してケーシング４３に収容されている。従って、可動部４５は、押下カバー体４５ｂを押下操作すると、摺接部４５ａがケーシング４３の内周面側を摺接しつつ移動し、摺接突起部４５ｃがパッキン４６を介してケーシング４３の可動部受け面４３ｊに当接することより移動規制されるように構成されている。
【００６２】
可動部４５の押下カバー体４５ｂは、摺接部４５ａの一方の開口を覆うように設けられた光透過シート４５ｅと、光透過シート４５ｅを透過した光を受光して、外方に向かって光を適度に拡散させるレンズ部４５ｆとを有している。押下カバー体４５ｂの光透過シート４５ｅは、摺接部４５ａの開口とほぼ同一の大きさもって延在する一枚シートによって構成され、マックスベットボタン４１を識別するために、光を吸収するインキによって「ＭＡＸ  ＢＥＴ」なる文字が印刷されている。また、押下カバー体４５ｂのレンズ部４５ｆは、摺動部４５ａの開口より若干大きさをもっており、透明なプラスチックによって形成されている。
【００６３】
コイルバネ４７は、ケーシング４３の内部を下方へ移動する可動部４５に対して可動部４５を上方へ移動させて中立位置に戻す付勢力を及ぼすように構成されている。
【００６４】
検知手段４９は、マックスベットボタン４１の押下操作にかかる信号を出力するものであり、基板４９ａ上に実装された投光部４９ｂと受光部４９ｃとからなるフォトカプラ４９ｄと、投光部４９ｂと受光部４９ｃとの間の光路を間に介して相互に対向配置されたＬＥＤ４９ｅと、フォトカプラ４９ｄ及びＬＥＤ４９ｅのための回線用コネクタ４９ｆとによって構成されている。
【００６５】
次に、本発明の係止受け部５０の具体的な構成について説明する。本発明の係止受け部５０は、マックスベットボタン４１を収容したときにマックスベットボタン４１のケーシング４３に設けられたフランジ部４３ｂを受けるケーシング受け部５１と、係止段差面４３ｈに当接して係止する係止段差受け面５３と、によって構成されている。
【００６６】
ケーシング受け部５１は、前面扉３の平面部分Ｆに開口形成されたマックスベットボタン４１を収容する開口部６の開口縁部に設けられており、本発明の第１係止受け部を構成している。具体的には、ケーシング受け部５１は、前面扉３の平面部分Ｆに設けられた開口部６の開口縁部を凹設して段差面を設けることによって形成され、前面扉３の開口部６から垂下された縦壁面５１ａと、縦壁面５１ａの下端部で垂直に曲折されて互いに接近する方向に延在する水平面５１ｂとを有している。フランジ部４３ｂの係止面４３ｄが、ケーシング受け部５１の水平面５１ｂに当接して係止することによってマックスベットボタン４１を受けることできるように構成されている。
【００６７】
また、ケーシング受け部５１の縦壁面５１ａは、ケーシング４３のフランジ部４３ｂをケーシング受け部５１の水平面５１ｂ係止させたときにフランジ部４３ｂが前面扉３の平面部分Ｆから突出しない程度の高さをもって形成されている。これにより、可動部４５の摺接部４５ａの略上部と押下カバー体４５ｂだけが前面扉３の平面部分Ｆから外方側に突出することから、マックスベットボタン４１の良好な操作性を確保することができる。また、可動部４５が突出しないことから、スロットマシン１の外観のデザインに悪影響を与えないようにすることができる。
【００６８】
なお、ケーシング受け部５１は、開口部６の開口縁部を凹設して段差面を設けずに、従来のようにケーシング４３のフランジ部４３ｂを操作部３Ｂの平面部分Ｆに係止する構成とすることも可能である。
【００６９】
係止段差受け面５３は、マックスベットボタン４１のケーシング４３の外形に対応してケーシング受け部５１から垂下され本発明の延在部を構成する筒状中空体５２の内周面５２ａ側に形成されて、本発明の第２係止受け部を構成している。具体的には、係止段差受け面５３は、筒状中空体５２の内周面５２ａ側をケーシング４３の係止段差面４３ｈに対応した位置で互いに接近する方向に突出させることによって形成された水平部分に設けられている。
【００７０】
係止段差受け面５３は、図６に示すようにケーシング４３の係止段差面４３ｈのほぼ全面と当接可能に構成されている。なお、本発明の延在部は、係止段差受け面５３を形成して、ケーシング４３の係止段差面４３ｈと係止可能であれば、どのような構造を有していても良い。例えば、延在部は、ケーシング４３より若干広い間隔をおいて設けられケーシング受け部５１から垂下された一対の板状の支持部材によって構成されていても良い。そして、一対の板状部材の内面側に形成された係止段差受け面により、少なくとも第１ケーシング壁部４３ｅ側又は第２ケーシング壁部４３ｆ側の係止段差面４３ｈに当接可能となる。
【００７１】
係止段差受け面５３は、ケーシング４３の係止段差面４３ｈの位置に対応した位置に設けて常に係止段差面４３ｈと当接して係止するように構成されているが、このような構成に限定されるものではない。例えば、係止段差受け面５３は、ケーシング４３の係止段差面４３ｈに常に当接する位置より若干下方位置に設け、係止段差受け面５３と係止段差面４３ｈが極めて接近した状態で対向配置されるようにすることも可能である。マックスベットボタン４１の可動部４５が、従来課題となっていたような極めて大きな押圧力をもって押下操作された場合、下方移動した可動部４５の摺接突起部４５ｃがパッキン４６を介してケーシング４３の可動部受け面４３ｊに当接した衝撃でケーシング４３も若干下方移動する。このときに、若干下方移動したケーシング４３の係止段差面４３ｈが係止段差受け面５３に当接するようにすれば、上述のようにマックスベットボタン４１の可動部４５に受けた押圧力を複数の係止構造で受けて分散することができる。
【００７２】
このように、少なくとも極めて大きな押圧力をもって押下操作されたときにケーシング４３の係止段差面４３ｈと当接するようにしたことによって、マックスベットボタン４１の収容時にケーシング４３のフランジ部４３ｂとケーシング受け部５１だけを係止させればよいので、マックスベットボタン４１の位置決めが容易となる。
【００７３】
そして、中空筒状体５２の下端部には、内周面５２ａの下端と外周面５２ｂの下端を連結する底面５２ｃが形成されている。中空筒状体５２の底面５２ｃは、マックスベットボタン４１を収容したときに一対の係止爪部４３ｋの上端部が当接可能に形成されている。これにより、マックスベットボタン４１の可動部４５等を把持して取り出そうとしても、一対の係止爪部４３ｋの上端部が中空筒状体５２の底面５２ｃに当接し、マックスベットボタン４１を取り外すことができない。
【００７４】
従って、係止段差面受け面５３ｂにケーシング４３の係止段差面４３ｈを当接させることによって、ケーシング４３の外周面側を係止して支持するので、簡易な係止構造にてマックスベットボタン４１を支持することができる。
【００７５】
また、係止段差面受け面５３ｂの水平面５３ｂとケーシング４３の係止段差面４３ｈとによって当接面によって係止が行われるので、マックスベットボタン４１の高い取付強度を得ることができる。また、当接面による係止によって、マックスベットボタン４１に及ぼされた力の分散を良好に行うことができる。
【００７６】
そしてまた、一対の係止爪部４３ｋを弾性変形させた状態でケーシング４３のフランジ部４３ｂ及び係止段差面４３ｈをそれぞれケーシング受け部５１及び係止段差受け面５３に係止させるだけで良いので、マックスベットボタン４１の高い取付強度を確保しつつマックスベットボタン４１の組付けを容易に行うことができる。
【００７７】
それから、係止段差面受け面５３は、ケーシング受け部５１の下方位置で前面扉３のケーシング受け部５１から垂下された筒状中空体５２の内周面５２ａ側に形成されていることから、係止段差面受け面５３を所定位置に設けるための部品を必要としない。これにより、部品点数を削減することができ、マックスベットボタン４１の低廉化を図ることができる。
【００７８】
次に、制御基板収容ボックス１２内に配設されているスロットマシン１のメイン制御基板６０等について図９に基づいて説明する。図９は、スロットマシン１の電気的構成を説明するブロック図である。
【００７９】
メイン制御基板６０には、演算装置である１チップマイコンとしてのＭＰＵ６１と、そのＭＰＵ６１に接続されると共にセンサ類やスイッチ類等の各種の入出力手段に接続された入出力ポート６２が搭載されている。
【００８０】
ＭＰＵ６１には、ＭＰＵ６１により実行される遊技制御プログラム等の制御プログラムや所定の固定値データを記憶したＲＯＭ６３と、そのＲＯＭ６３内に記憶される制御プログラムの実行にあたって各種のデータ等を一時的に記憶するためのメモリであるＲＡＭ６４等が内蔵されている。
【００８１】
入出力ポート６２には、マックスベットボタン４１、スタートレバー３５、ストップボタン３６、ベットランプ２５、クレジット枚数表示部２６、サブ制御基板７０等が接続されている。
【００８２】
サブ制御基板７０は、メイン制御基板６０から送信されるコマンドを受信して所定の制御処理を行うものであり、本実施の形態では、スピーカ２２から効果音の出力制御等を行わせるように構成されている。
【００８３】
電源基板８０は、電源ボックス１３内に設けられており、メイン制御基板６０の他に、マックスベットボタン４１等のスロットマシン１の各電子機器に駆動電力を供給する電源部８１と、電源断の発生を監視する停電監視回路８２等の各種回路を備えている。スロットマシン１の電源オフ後には、電源基板８０の電源部８１からＲＡＭ６４にバックアップ電圧が供給される。
【００８４】
ＭＰＵ６１は、入出力ポート６２に接続されている各種センサ類、スイッチ類からの検出信号等に基づき、ＲＯＭ６３内に格納されているプログラムを実行することによって種々の処理を行う制御手段を構成する。
【００８５】
例えば、ＭＰＵ６１では、最初に、コイン投入口３３からのコインの投入によって所定枚数のコインが投入されているかどうかを判断する。或いは、ＭＰＵ６１は、予め電子的に所定枚数のコインが貯留されているかを判断する。そして、コインがコイン投入口３３から投入された場合、クレジット枚数表示部２６の表示が投入枚数に応じて増大する。或いは、コインが予め電子的に貯留されている場合、かかる貯留枚数がクレジット枚数表示部２６に表示されている。
【００８６】
マックスベットボタン４１を押下する操作にかかる検出信号が検知手段４９から入出力ポート６２を介して入力されると、ＭＰＵ６１は、遊技制御プログラムに基づき解析してマックスベットボタン４１の押下操作であるのか否かを判断する。そして、マックスベットボタン４１の押下操作であると判断すると、出力ポート６２を介してスピーカ２２の効果音を出力する信号をサブ制御基板７０に出力し、サブ制御基板７０からスピーカ２２に電力を供給して効果音を出力する処理を行わせる。また、スピーカ２２からの効果音の出力と同時に、全てのベットランプ２５が点灯する。
【００８７】
上記構成を有するスロットマシン１によれば、フランジ部４３ｂの係止面４３ｄとケーシング受け部５１の水平面５１ｂとの係止に加えて、係止段差面４３ｈと係止段差受け面５３との係止によって収容されたマックスベットボタン４１を受けるようにしたので、可動部４５の押下カバー体４５ｂに及ぼされた力を複数の係止構造で受けて、適度に分散することができる。
【００８８】
特に、可動部４５の押下カバー体４５ｂが、例えば極めて大きな押圧力もって押下操作されるか、又は所定の硬度を有するライター等の異物で強打されることによって押下操作され、かかる押下操作が連続するような場合でも、可動部４５の押下カバー体４５ｂに受けた力を適度に分散させるので、ケーシング４３のフランジ部４３ｂの破損等を防ぐことができる。
【００８９】
そして、ケーシング４３のフランジ部４３ｂが破損等した場合でも、係止係止段差面４３ｈと係止段差受け面５３との係止は、前面扉３のケーシング受け部５１より下方位置で行われていることから、ケーシング４３とケーシング受け部５１又は係止段差受け面５３との間で隙間を生じさせないようにすることができる。よって、棒体等の異物を挿入しようとしても、スロットマシン１の内部に到達させるのが極めて困難であることから、スロットマシン１の本体４内部のスイッチ類を操作する不正行為を防ぐことができる。
【００９０】
また、フランジ部４３ｂの破損等によるマックスベットボタン４１の交換は、一対の係止爪部４３ｋを弾性変形させた状態でケーシング受け部５１から取り出すだけでよいので、作業工程を複雑にすることなくメンテナンスを行うことができる。一方、マックスベットボタン４１を取り付けるときには、一対の係止爪部４３ｋを弾性変形させた状態で前面扉３の開口部から収容するだけでよいので、マックスベットボタン４１の組付けを容易に行うことができる。
【００９１】
それから、係止段差面４３ｈは、ケーシング４３のフランジ部４３ｂより下方位置に設けられているので、マックスベットボタン４１をケーシング受け部５１に収容したときに、前面扉３の平面部分Ｆに露出することはない。これにより、マックスベットボタン４１の押下カバー体４５ｂに及ぼされた力を受けるのに必要で且つ十分な形状をもって形成できるので、設計の自由度を高めることができる。
【００９２】
また、ケーシング４３の係止係止段差面４３ｈと係止段差受け面５３との係止によって、マックスベットボタン４１の押下カバー体４５ｂに及ぼされた力を十分に受けることができれば、ケーシング受け部５１の水平面５１ａに係止するフランジ部４３ｂを前面扉３の水平部分Ｆから大きく突出するように厚みをもって形成する必要がない。これにより、マックスベットボタン４１の可動部４５の良好な操作性を確保することができる。
【００９３】
本発明は、上述の実施の形態に限定されるものではなく、本発明の趣旨を逸脱しない範囲で種々の変更が可能である。例えば、前面扉３の水平面分Ｆに設けられている他のベットボタンスイッチの１枚及び２枚のベットスイッチボタン３１、３２、前面扉３の縦壁部分Ｈに設けられている各々のストップボタン３６についても本発明のマックスベットボタン４１と同様の構成とすることができる。また、本実施の形態において、スタートレバー３５は、前面扉３の縦壁部分Ｈから手前側に突出するレバー式によって構成されているが、スイッチ型によって構成された場合には、本発明のマックスベットボタン４１と同様の構成とすることができる。更に、本実施の形態において、マックスベットボタン４１は、前面扉３の平面部分Ｆに取り付け固定する構成としたが、前面扉３の縦壁部分Ｈに取り付け固定する構成とすることも可能である。
【００９４】
それから、本実施の形態において、ケーシング４３の外周面側には、１つの係止段差面４３ｈを設ける構成としたが、ケーシング４３の外周面側に複数の係止段差面を設けるようにしても良い。例えば、ケーシングの係止段差面４３ｈより下方位置で、ケーシング４３の外周面側を互いに接近する方向に縮径させて、係止段差面４３ｈと同様の係止段差面を形成する。即ち、ケーシング４３のフランジ部４３ｂより下方位置において、下方に移行するに従って少なくとも２回縮径することによって２つ以上の係止段差面をケーシング４３の外周面側に設けることができる。
【００９５】
これにより、ケーシング４３の外周面側は、下方に移行するに従って互いに接近する方向に複数の段差面を階段状に設けることができる。なお、ケーシング４３の外周面側に複数の係止段差面を設けた場合には、各々の係止段差面を受ける係止段差受け面についても対応して複数個を設けるようにする。
【００９６】
このように、ケーシング４３の外周面側に複数の係止段差面を設けるようにしたことにより、係止段差面と係止段差受け面の当接によるマックスベットボタン４１の支持構造が複数設けられるので、可動部４５の押下カバー体４５ｂに及ぼされた力を更に分散させることができる。これにより、ケーシング４３のフランジ部４３ｂで受ける力を小さくすることができるので、フランジ部４３ｂの破損等を防止することができる。特に、このような効果は、例えば従来課題となっていた極めて大きな押圧力もって押下操作された場合、又はライター等の所定の強度を有する異物によって強打されて押下動作される場合に顕著なものとなる。
【００９７】
そして、ケーシング４３のフランジ部４３ｂが破損等するようなことがあっても、複数の係止段差面と係止段差受け面によってマックスベットボタン４１は係止されていることから、マックスベットボタン４１の前面扉３内部への抜け落ちを防止することができる。
【００９８】
また、これらの係止段差面と係止段差受け面は、マックスベットボタン４１を取り付け固定されたときに外方に露出せず、スロットマシン１のデザインに悪影響を与えないことから、係止段差面の大きさ、係止段差面の段数等を自由に設定することができるので、設計の自由度が得られる。
【００９９】
そして、複数の係止段差面と係止段差受け面との係止によって、棒体等の異物の進入が不可能であるか、又は実質的に不可能であるので、スロットマシン１の内部に設けられているスイッチ類を操作する不正行為防止することができる。
【図面の簡単な説明】
【０１００】
【図１】本実施の形態におけるスロットマシン１の前面扉３が閉じた状態を示す斜視図である。
【図２】同じくスロットマシン１の前面扉３を開いた状態を示す斜視図である。
【図３】同じくマックスベットボタンの分解図である。
【図４】マックスベットボタン４１の係止段差面４３ｈを説明する図である。
【図５】マックスベットボタン４１の縦断面図である。
【図６】ケーシング受け部５１を説明する図である。
【図７】ケーシング受け部５１を説明する図である。
【図８】マックスベットボタン４１を前面扉３から取り外した状態のケーシング受け部５１の斜視図である。
【図９】同じくスロットマシン１の電気的構成を説明するブロック図である。
【図１０】従来技術を説明する図である。
【符号の説明】
【０１０１】
１        スロットマシン（遊技機）
２        筐体
３        前面扉
４        本体
４１      マックスベットボタン
４３      ケーシング
４３ａ    開口部
４３ｂ    フランジ部（第１係止部）
４３ｃ    筒部
４３ｅ    第１ケーシング壁部
４３ｆ    第２ケーシング壁部
４３ｈ    係止段差面（第２係止部）
４５      可動部
４７      コイルバネ
４９      検知手段
５１      ケーシング受け部（第１係止受け部）
５１ａ    縦壁面
５１ｂ    水平面
５２      筒状延在部
５２ａ    内周面
５２ｂ    外周面
５２ｃ    底面
５３      係止段差受け面（第２係止受け部）
６０      メイン制御基板
６１      ＭＰＵ
７０      サブ制御基板
【図１】
2007000360.tif 000003
【図２】
2007000360.tif 000004
【図３】
2007000360.tif 000005
【図４】
2007000360.tif 000006
【図５】
2007000360.tif 000007
【図６】
2007000360.tif 000008
【図７】
2007000360.tif 000009
【図８】
2007000360.tif 000010
【図９】
2007000360.tif 000011
【図１０】
2007000360.tif 000012